(57)【要約】【課題】  制御装置２と基地局無線装置２１、２２、３１、３２との間の回線に障害が発生した場合においても、他の基地局無線装置の運用に対する影響を抑える無線通信システムを提供する。【解決手段】  制御装置は周波数設定制御信号を回線を介して基地局無線装置に対して送信し、基地局無線装置は周波数設定制御信号を受信すると応答信号を制御装置に対して回線を介して送信し、制御装置は応答信号を受信しなかった場合には基地局無線装置に対する送信制御信号を送信しないように制御する。【選択図】  図３
2006100868.tif 000002
【特許請求の範囲】
【請求項１】
制御装置と基地局無線装置とが回線により接続され、前記制御装置が前記基地局無線装置を制御して、前記基地局無線装置が無線により通信する無線通信システムにおいて、
前記制御装置は、前記基地局無線装置により使用される周波数の設定を制御する信号を前記回線を介して前記基地局無線装置に対して送信する周波数設定制御信号送信手段と、
前記基地局無線装置による無線送信を制御する信号を前記回線を介して前記基地局無線装置に対して送信する送信制御信号送信手段と、を備え、
前記基地局無線装置は、前記制御装置から送信される前記周波数の設定を制御する信号を受信する周波数設定制御信号受信手段と、
前記周波数設定制御信号受信手段により受信された前記周波数の設定を制御する信号に基づいて無線送信に使用する周波数を設定する周波数設定手段と、
前記周波数設定制御信号受信手段により前記周波数の設定を制御する信号が受信されたことに応じて応答信号を前記制御装置に対して前記回線を介して送信する応答信号送信手段と、
前記制御装置から送信される前記無線送信を制御する信号を前記回線を介して受信する送信制御信号受信手段と、
前記送信制御信号受信手段により受信された前記無線送信を制御する信号に基づいて前記周波数設定手段により設定された周波数を使用して無線送信を実行する無線送信実行手段と、を備え、
前記制御装置は、前記基地局無線装置から送信される前記応答信号を前記回線を介して受信する応答信号受信手段と、
前記周波数設定制御信号送信手段により前記周波数の設定を制御する信号が送信された相手となる前記基地局無線装置から当該周波数設定制御信号に対する前記応答信号が前記応答信号受信手段により無受信であった場合には、当該基地局無線装置に対する前記送信制御信号送信手段による前記無線送信を制御する信号を非送信とする送信制御信号非送信手段と、を備えた、
ことを特徴とする無線通信システム。
【請求項２】
請求項１に記載の無線通信システムにおいて、
前記制御装置と複数の前記基地局無線装置とがそれぞれ異なる回線により接続され、前記制御装置がそれぞれの前記基地局無線装置を制御し、
前記制御装置の前記周波数設定制御信号送信手段は、複数の前記基地局無線装置のそれぞれに対して異なる周波数を設定するように、それぞれの前記基地局無線装置により使用される周波数の設定を制御する信号をそれぞれの前記回線を介してそれぞれの前記基地局無線装置に対して送信する、
ことを特徴とする無線通信システム。
【発明の詳細な説明】
【技術分野】
【０００１】
本発明は、制御装置が基地局無線装置により使用される周波数の設定及び基地局無線装置による送信を制御する無線通信システムに関し、特に、例えば、制御装置と基地局無線装置との間の回線に障害が発生した場合においても、他の基地局無線装置の運用に対する影響を抑える無線通信システムに関する。
【背景技術】
【０００２】
例えば、無線通信システムの基地局装置用の無線装置（基地局無線装置）として、基地局無線装置自体に周波数を設定するものと、制御装置からの信号によって基地局無線装置に周波数を設定するものがある。
制御装置により基地局無線装置に周波数を設定する無線通信システムでは、複数の基地局装置を共通化することができ、また、複数の基地局無線装置を有する基地局装置において各基地局無線装置を共通化することができる利点がある。
【０００３】
図５には、このような無線通信システムに設けられる基地局装置４１ａ、４１ｂと制御装置４２の一例を示してある。
本例では、１台の制御装置４２に２台の基地局装置４１ａ、４１ｂが接続されており、それぞれの基地局装置４１ａ、４１ｂには２個の基地局無線装置５１、５２、６１、６２が備えられている。
それぞれの基地局装置４１ａ、４１ｂ内のそれぞれの基地局無線装置５１、５２、６１、６２は、制御装置４２からの周波数設定制御信号により周波数を設定する。制御装置４２は、周波数設定制御信号を繰り返して各基地局無線装置５１、５２、６１、６２に対して送信しており、各基地局無線装置５１、５２、６１、６２は周波数設定制御信号を受信するたびに周波数の設定を実行する。また、制御装置４２は、必要に応じて、送信制御信号により各基地局無線装置５１、５２、６１、６２による送信を起動する。
ここで、それぞれの基地局無線装置５１、５２、６１、６２には、例えば、異なる周波数が設定される。
【０００４】
【非特許文献１】ＡＲＩＢ  ＳＴＤ−Ｔ８７、「空港内デジタル移動通信システム」、社団法人電波産業会
【発明の開示】
【発明が解決しようとする課題】
【０００５】
しかしながら、例えば図５に示されるような構成では、制御装置４２と基地局無線装置５１、５２、６１、６２との間の回線に障害が発生したことにより、当該基地局無線装置５１、５２、６１、６２により制御装置４２から周波数設定制御信号を受信することができなくなると、当該基地局無線装置５１、５２、６１、６２は周波数の設定を実行しなくなり、当該基地局無線装置５１、５２、６１、６２の周波数が不定になることがある。この結果、当該周波数が不定になった基地局無線装置５１、５２、６１、６２が他の基地局無線装置５１、５２、６１、６２と同一の周波数を使用することになる場合があり、この場合に、制御装置４２から当該周波数が不定になった基地局無線装置５１、５２、６１、６２による送信を実行すると、当該他の基地局無線装置５１、５２、６１、６２の運用に妨害を与えてしまうといった不具合があった。
【０００６】
本発明は、このような従来の課題を解決するために為されたもので、制御装置が基地局無線装置により使用される周波数の設定及び基地局無線装置による送信を制御するに際して、例えば、制御装置と基地局無線装置との間の回線に障害が発生した場合においても、他の基地局無線装置の運用に対する影響を抑えることができる無線通信システムを提供することを目的とする。
【課題を解決するための手段】
【０００７】
上記目的を達成するため、本発明に係る無線通信システムでは、制御装置と基地局無線装置とが回線により接続され、前記制御装置が前記基地局無線装置を制御して、前記基地局無線装置が無線により通信する構成において、次のような処理を行う。
すなわち、前記制御装置では、周波数設定制御信号送信手段が、前記基地局無線装置により使用される周波数の設定を制御する信号（周波数設定制御信号）を、前記回線を介して、前記基地局無線装置に対して送信する。また、送信制御信号送信手段が、前記基地局無線装置による無線送信を制御する信号（送信制御信号）を、前記回線を介して、前記基地局無線装置に対して送信する。
【０００８】
前記基地局無線装置では、周波数設定制御信号受信手段が、前記制御装置から送信される前記周波数の設定を制御する信号（前記周波数設定制御信号）を受信する。また、周波数設定手段が、前記周波数設定制御信号受信手段により受信された前記周波数の設定を制御する信号（前記周波数設定制御信号）に基づいて、無線送信に使用する周波数を設定する。また、応答信号送信手段が、前記周波数設定制御信号受信手段により前記周波数の設定を制御する信号（前記周波数設定制御信号）が受信されたことに応じて、応答信号を、前記制御装置に対して、前記回線を介して、送信する。また、送信制御信号受信手段が、前記制御装置から送信される前記無線送信を制御する信号（前記送信制御信号）を、前記回線を介して、受信する。また、無線送信実行手段が、前記送信制御信号受信手段により受信された前記無線送信を制御する信号（前記送信制御信号）に基づいて、前記周波数設定手段により設定された周波数を使用して、無線送信を実行する。
【０００９】
前記制御装置では、応答信号受信手段が、前記基地局無線装置から送信される前記応答信号を、前記回線を介して、受信する。また、送信制御信号非送信手段が、前記周波数設定制御信号送信手段により前記周波数の設定を制御する信号（前記周波数設定制御信号）が送信された相手となる前記基地局無線装置から、当該周波数設定制御信号に対する前記応答信号が、前記応答信号受信手段により無受信であった（つまり、受信されなかった）場合には、当該基地局無線装置に対する前記送信制御信号送信手段による前記無線送信を制御する信号（前記送信制御信号）を非送信とする（つまり、送信しないようにする）。
【００１０】
従って、制御装置から基地局無線装置に対して回線を介して周波数設定制御信号が送信されたことに対して、当該基地局無線装置からの応答信号が制御装置により受信されなかった場合には、制御装置から当該基地局無線装置に対する送信制御信号が送信されないようになるため、例えば、制御装置と基地局無線装置との間の回線に障害が発生した場合においても、他の基地局無線装置の運用に対する影響を抑えることができる。
【００１１】
ここで、制御装置と基地局無線装置とを接続する回線としては、例えば、有線の回線が用いられるが、無線の回線が用いられてもよい。
また、基地局無線装置による無線通信としては、例えば、無線送信ばかりでなく、無線受信が行われてもよい。
また、基地局無線装置により使用される周波数の設定を制御する信号（周波数設定制御信号）としては、種々な信号が用いられてもよく、例えば、使用すべき特定の周波数を指定する信号や、使用する周波数の増加或いは減少を指示する信号や、予め設定された複数の周波数の順序で使用する周波数を切り替えることを指示する信号などを用いることができる。
また、基地局無線装置による無線送信を制御する信号（送信制御信号）としては、種々な信号が用いられてもよく、例えば、基地局無線装置に対して無線送信を実行することを指示する信号や、或いは、基地局無線装置による無線送信の対象となる信号などを用いることができる。
【００１２】
また、周波数設定制御信号に対する応答信号としては、種々な信号が用いられてもよく、例えば、周波数設定制御信号を受信した旨を通知することが可能な信号が用いられる。
また、制御装置において、基地局無線装置から周波数設定制御信号に対する応答信号が無受信であったことを検出する態様としては、種々な態様が用いられてもよく、例えば、１回の周波数設定制御信号の送信に対して応答信号が受信されなかった場合に無受信であったことを検出する態様や、或いは、所定の複数回の周波数設定制御信号の送信に対して応答信号が受信されなかった場合に無受信であったことを検出する態様などを用いることができる。また、それぞれの回の周波数設定制御信号に対する応答信号が無受信であった（つまり、受信されなかった）ことを判定する態様としては、例えば、周波数設定制御信号の送信タイミングから所定の時間が経過しても応答信号が受信されない場合に無受信であるとみなすような態様を用いることができる。
【００１３】
また、本発明に係る無線通信システムでは、次のような構成とした。
すなわち、前記制御装置と複数の前記基地局無線装置とがそれぞれ異なる回線により接続され、前記制御装置がそれぞれの前記基地局無線装置を制御する。
前記制御装置の前記周波数設定制御信号送信手段は、複数の前記基地局無線装置のそれぞれに対して異なる周波数を設定するように、それぞれの前記基地局無線装置により使用される周波数の設定を制御する信号（周波数設定制御信号）をそれぞれの前記回線を介してそれぞれの前記基地局無線装置に対して送信する。
【００１４】
従って、制御装置と複数の基地局無線装置とがそれぞれ異なる回線により接続された構成において、それぞれの基地局無線装置に対して異なる周波数が設定されるため、無線送信信号について互いの干渉を防止することができ、また、例えば、制御装置と或る基地局無線装置との間の回線に障害が発生した場合においても、当該基地局無線装置の運用が停止されるため、他の基地局無線装置に対する干渉を防止することができる。
【００１５】
ここで、複数の基地局無線装置の数としては、種々な数が用いられてもよい。
また、例えば、１台の基地局装置に１個の基地局無線装置が備えられてもよく、或いは、１台の基地局装置に複数個の基地局無線装置が備えられてもよい。
【発明の効果】
【００１６】
以上説明したように、本発明に係る無線通信システムによると、制御装置では、基地局無線装置により使用される周波数の設定を制御する信号（周波数設定制御信号）を回線を介して基地局無線装置に対して送信し、基地局無線装置では、制御装置から送信される周波数設定制御信号を受信すると当該周波数設定制御信号に基づいて無線送信に使用する周波数を設定すること及び応答信号を制御装置に対して回線を介して送信することを行い、制御装置では、基地局無線装置からの応答信号が無受信であった場合には当該基地局無線装置に対する無線送信を制御する信号（送信制御信号）を非送信とするようにしたため、例えば、制御装置と基地局無線装置との間の回線に障害が発生した場合においても、他の基地局無線装置の運用に対する影響を抑えることができる。
【発明を実施するための最良の形態】
【００１７】
本発明に係る一実施例を図面を参照して説明する。
図１には、本発明の一実施例に係る無線通信システムとして、空港内デジタル移動通信システムの構成例を示してある。
本例の無線通信システムは、基地局装置１ａ、１ｂと、制御装置２と、複数の端末装置１１、１２、１３を有している。
ここで、制御装置２は、基地局装置１ａ、１ｂを制御する装置である。
また、端末装置１１及び端末装置１２は人により携帯され、端末装置１３は自動車などの車両に搭載されており、いずれの端末装置１１〜１３も移動することが可能な移動局装置として使用される。
なお、基地局装置１の数や、端末装置１１〜１３の数としては、それぞれ、種々な数が用いられてもよい。
本例では、基地局装置１と、当該基地局装置１の通信領域（サービスエリア）に収容される端末装置１１〜１３との間で、音声信号やデータ信号を無線により通信する。
【００１８】
図２には、基地局装置１から端末装置１１〜１３への通信（下り通信）と、端末装置１１〜１３から基地局装置１への通信（上り通信）について、物理チャネルのスロット配置の一例を示してある。
下り通信及び上り通信ではそれぞれ４個の物理チャネルのスロットＣＨ１、ＣＨ２、ＣＨ３、ＣＨ４が時分割で並べられており、下り通信と上り通信とでは２個のスロット分の時間だけスロットの並びがずれている。
このように、本例では、時分割通信方式により複数のチャネルを構成したが、例えば、符号分割通信方式や、周波数分割通信方式や、２つ以上の方式の組み合わせなどにより、複数のチャネルが構成されてもよい。
【００１９】
図３には、本例の無線通信システムに設けられた基地局装置１ａ、１ｂと制御装置２の構成例を示してある。
本例では、１台の制御装置２に２台の基地局装置１ａ、１ｂが接続されており、それぞれの基地局装置１ａ、１ｂには２個の基地局無線装置２１、２２、３１、３２が備えられている。
制御装置２は、それぞれの基地局装置１ａ、１ｂ内のそれぞれの基地局無線装置２１、２２、３１、３２とそれぞれの回線を介して接続されている。
【００２０】
制御装置２は、それぞれの基地局装置１ａ、１ｂ内のそれぞれの基地局無線装置２１、２２、３１、３２に対して、それぞれの回線を介して、無線通信に使用する周波数を設定するための信号（周波数設定制御信号）を送信する機能を有している。
それぞれの基地局装置１ａ、１ｂ内のそれぞれの基地局無線装置２１、２２、３１、３２は、それぞれの回線を介して、制御装置２から送信される周波数設定制御信号を受信し、受信した周波数設定制御信号により指示される内容に従って、無線通信に使用する周波数を設定する。
【００２１】
また、本例では、それぞれの基地局装置１ａ、１ｂ内のそれぞれの基地局無線装置２１、２２、３１、３２は、制御装置２から周波数設定制御信号を受信した場合には、当該周波数設定制御信号により周波数を設定した後に或いはその前に、所定の応答信号を制御装置２に対して送信（返信）する。
本例では、制御装置２は、例えば一定の周期毎などのタイミングで、周波数設定制御信号を繰り返して各基地局無線装置２１、２２、３１、３２に対して送信しており、各基地局無線装置２１、２２、３１、３２は周波数設定制御信号を受信するたびに周波数の設定及び応答信号の返信を実行する。
【００２２】
ここで、それぞれの基地局無線装置２１、２２、３１、３２には、例えば、送信用の周波数としてそれぞれ異なる周波数が設定され、受信用の周波数としてそれぞれ異なる周波数が設定される。
なお、それぞれの基地局無線装置２１、２２、３１、３２において、送信用の周波数と受信用の周波数とは、同一の周波数が用いられてもよく、或いは、異なる周波数が用いられてもよい。
【００２３】
また、制御装置２は、それぞれの基地局装置１ａ、１ｂ内のそれぞれの基地局無線装置２１、２２、３１、３２に対して、無線により送信を行う必要がある場合には、それぞれの回線を介して、送信制御信号を送信する。
それぞれの基地局装置１ａ、１ｂ内のそれぞれの基地局無線装置２１、２２、３１、３２は、回線を介して、制御装置２から送信される送信制御信号を受信し、送信制御信号を受信したことに応じて無線による送信の動作を起動して実行する。この無線による送信の動作は、制御装置２からの制御により設定された周波数で実行される。
【００２４】
また、本例では、制御装置２は、或る基地局無線装置２１、２２、３１、３２に対して周波数設定制御信号を送信したときに、当該基地局無線装置２１、２２、３１、３２から応答信号を受信しない場合には、当該基地局無線装置２１、２２、３１、３２との間の回線に障害が発生したことにより当該基地局無線装置２１、２２、３１、３２との通信を正常に行うことができないとみなして、当該基地局無線装置２１、２２、３１、３２の使用を停止して、当該基地局無線装置２１、２２、３１、３２に対して送信制御信号を送信することを停止するつまり当該基地局無線装置２１、２２、３１、３２から無線送信を行うことを禁止する。
【００２５】
図４には、本例の制御装置２により行われる処理の手順の一例を示してある。
なお、本例では、制御装置２が基地局無線装置２１を制御する場合を例として説明する。他の基地局無線装置２２、３１、３２を制御する場合についても、同様である。
制御装置２は、制御対象となる基地局無線装置２１に対して周波数設定制御信号を送信すると（ステップＳ１）、当該基地局無線装置２１からの応答信号の受信待ちを行い（ステップＳ２）、当該基地局無線装置２１から応答信号を受信すると（ステップＳ３）、周波数設定制御信号の送信を周期的に繰り返して行う（ステップＳ１〜ステップＳ３）。また、制御装置２は、基地局無線装置２１に対して周波数設定制御信号を送信したが当該基地局無線装置２１からの応答信号を受信しない場合には（ステップＳ３）、当該基地局無線装置２１の使用を停止して当該基地局無線装置２１からの送信を禁止して（ステップＳ４）、例えば他の基地局無線装置について、周期的な周波数設定制御信号の送信を繰り返して行う（ステップＳ１〜ステップＳ３）。
【００２６】
ここで、制御装置２が、或る基地局無線装置２１、２２、３１、３２に対して回線を介して周波数設定制御信号を送信しても当該基地局無線装置２１、２２、３１、３２から応答信号を受信しないことは、例えば、周波数設定制御信号を送信してからの経過時間をタイマやカウンタにより計時して、タイマが所定のタイマ値となった（タイムアウトした）ことや、カウンタが所定のカウンタ値となった（カウントアウトした）ことなどとして、検出することができる。
【００２７】
また、例えば、制御装置２が、或る基地局無線装置２１、２２、３１、３２からの応答信号が受信されずに、上記したタイムアウト或いは上記したカウントアウトとなったとき以後、当該基地局無線装置２１、２２、３１、３２を使用を停止（除外）する装置の候補としてリストアップしてメモリに記憶し、その後、１回又は複数回である所定の回数だけ当該基地局無線装置２１、２２、３１、３２に対して周波数設定制御信号を送信して当該基地局無線装置２１、２２、３１、３２からの応答信号が受信されるかどうかを判定し（リトライし）、当該所定の回数だけリトライ（アタック）しても当該基地局無線装置２１、２２、３１、３２から応答信号の返信が受信されない場合には、当該基地局無線装置２１、２２、３１、３２の使用を実際に停止する、ような構成を用いることも可能である。
【００２８】
また、例えば、制御装置２が、或る基地局無線装置２１、２２、３１、３２の使用を停止した場合に、そのことを、当該基地局無線装置２１、２２、３１、３２との通信に関して障害があった旨を表す信号として、当該基地局無線装置２１、２２、３１、３２を有する基地局装置１ａ、１ｂ以外の所定の基地局装置（他の所定の基地局装置）や、所定の端末装置（本例では、所定の移動局装置）や、所定の監視局装置或いは所定の管理局装置などの任意の局に対して送信する、ような構成を用いることも可能である。
【００２９】
以上のように、本例の無線通信システムでは、複数の基地局無線装置２１、２２、３１、３２と制御装置２を含み、制御装置２からの周波数設定制御信号により基地局無線装置２１、２２、３１、３２の無線周波数を設定し、制御装置２からの送信制御信号により基地局無線装置２１、２２、３１、３２の送信を実行させる構成において、基地局無線装置２１、２２、３１、３２は制御装置２からの周波数設定制御信号を受信すると当該周波数設定制御信号に対する応答信号を送信し、当該応答信号が途絶えて、制御装置２が当該応答信号を受信しない場合には、制御装置２は、当該基地局無線装置２１、２２、３１、３２と当該制御装置２との間の回線に障害が発生したものと判断して、当該基地局無線装置２１、２２、３１、３２の運用を停止して、当該基地局無線装置２１、２２、３１、３２に対する送信を行わないようにする。
【００３０】
従って、制御装置２からの周波数設定制御信号によって基地局無線装置２１、２２、３１、３２の周波数を設定する無線通信システムにおいて、制御装置２は、基地局無線装置２１、２２、３１、３２への周波数設定制御信号に対する応答を監視して、無応答時に当該基地局無線装置２１、２２、３１、３２の運用を停止するようにしたため、例えば、制御装置２と或る基地局無線装置２１、２２、３１、３２との間の回線に障害が発生したことによって、当該基地局無線装置２１、２２、３１、３２が周波数設定制御信号を受信しないような場合においても、当該基地局無線装置２１、２２、３１、３２が他の基地局無線装置の運用に妨害を与えることを無くすことができ、良好な通信品質を保証することができる。
【００３１】
本例の無線通信システムは、例えば、基地局無線装置２１、２２、３１、３２の無線周波数をセンター局などの制御側から制御するシステムや、複数の基地局無線装置２１、２２、３１、３２を用いたマルチチャネルアクセス（ＭＣＡ：Ｍｕｌｔｉ  Ｃｈａｎｎｅｌ  Ａｃｃｅｓｓ）のシステムなどに適用するのに有効なものである。
【００３２】
なお、本例の制御装置２では、各基地局無線装置２１、２２、３１、３２に対して各回線を介して周波数設定制御信号を送信する機能により周波数設定制御信号送信手段が構成されており、各基地局無線装置２１、２２、３１、３２に対して各回線を介して送信制御信号を送信する機能により送信制御信号送信手段が構成されており、各基地局無線装置２１、２２、３１、３２から各回線を介して応答信号を受信する機能により応答信号受信手段が構成されており、応答信号が受信されなかった基地局無線装置２１、２２、３１、３２に対して送信制御信号を送信しないように制御する機能により送信制御信号非送信手段が構成されている。
【００３３】
また、本例の各基地局無線装置２１、２２、３１、３２では、制御装置２から各回線を介して周波数設定制御信号を受信する機能により周波数設定制御信号受信手段が構成されており、受信した周波数設定制御信号に基づいて無線送信に使用する周波数を設定する機能により周波数設定手段が構成されており、制御装置２から周波数設定制御信号を受信したことに応じて応答信号を各回線を介して制御装置２に対して送信する機能により応答信号送信手段が構成されており、制御装置２から各回線を介して送信制御信号を受信する機能により送信制御信号受信手段が構成されており、受信した送信制御信号に基づいて設定された周波数を使用して無線送信を実行する機能により無線送信実行手段が構成されている。
【００３４】
ここで、本発明に係る無線通信システムや基地局装置や基地局無線装置や制御装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々な装置やシステムとして提供することも可能である。
また、本発明の適用分野としては、必ずしも以上に示したものに限られず、本発明は、種々な分野に適用することが可能なものである。
また、本発明に係る無線通信システムや基地局装置や基地局無線装置や制御装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００３５】
【図１】無線通信システムの構成例を示す図である。
【図２】物理チャネルのスロット配置の一例を示す図である。
【図３】本発明の一実施例に係る無線通信システムに設けられる基地局無線装置と制御装置との通信の一例を示す図である。
【図４】制御装置により行われる処理の手順の一例を示す図である。
【図５】無線通信システムに設けられる基地局無線装置と制御装置との通信の一例を示す図である。
【符号の説明】
【００３６】
１ａ、１ｂ、４１ａ、４１ｂ・・基地局装置、  ２・・制御装置、  １１〜１３・・端末装置、  ２１、２２、３１、３２、５１、５２、６１、６２・・基地局無線装置、
【図１】
2006100868.tif 000003
【図２】
2006100868.tif 000004
【図３】
2006100868.tif 000005
【図４】
2006100868.tif 000006
【図５】
2006100868.tif 000007